(57)【要約】【課題】紙幣を適切に収納し、繰出すことができる紙幣処理装置を提供する。【解決手段】紙幣処理装置は、紙幣を搬送する搬送部と、搬送部によって搬送される紙幣を紙幣の短辺が先頭となる方向で取り込んで収納する長手方向収納部と、搬送部によって搬送される紙幣を紙幣の長編が先頭となる方向で取り込んで収納する短手方向収納部と、搬送部によって搬送される紙幣の収納先を、長手方向収納部および短手方向収納部のいずれかに切り替えるよう搬送部を制御する制御部と、を有する。【選択図】図２
2018152031.tif 000002
【特許請求の範囲】
【請求項１】
紙幣を搬送する搬送部と、
前記搬送部によって搬送される前記紙幣を紙幣の短辺が先頭となる方向で取り込んで収納する長手方向収納部と、
前記搬送部によって搬送される前記紙幣を紙幣の長辺が先頭となる方向で取り込んで収納する短手方向収納部と、
前記搬送部によって搬送される前記紙幣の収納先を、前記長手方向収納部および前記短手方向収納部のいずれかに切り替えるよう前記搬送部を制御する制御部と、
を有する紙幣処理装置。
【請求項２】
前記制御部は、前記紙幣の種類に基づいて、搬送される前記紙幣の収納先を切り替える、
請求項１に記載の紙幣処理装置。
【請求項３】
前記搬送部の搬送路上に前記紙幣の種類を識別する識別部を有し、
前記紙幣の種類は、前記紙幣の金種、前記紙幣の大きさ、前記紙幣に設けられたスレッドの位置、前記紙幣の材質、前記紙幣の汚損状態、前記紙幣の破損状態、または前記紙幣の搬送姿勢の少なくとも１つに基づいて分類される種類である、
請求項２に記載の紙幣処理装置。
【請求項４】
前記紙幣の種類は、前記紙幣の短辺を曲げるときの曲げ剛性または前記紙幣の長辺を曲げるときの曲げ剛性に基づいて分類される種類である、
請求項２または３に記載の紙幣処理装置。
【請求項５】
前記長手方向収納部または前記短手方向収納部の紙幣搬送方向上流に配置され、
短手姿勢または長手姿勢のいずれかの姿勢で搬送される前記紙幣の搬送姿勢を、前記長手方向収納部または前記短手方向収納部の取り込み方向に合うように変換する変換部、
をさらに有する請求項１乃至４のいずれか一項に記載の紙幣処理装置。
【請求項６】
前記長手方向収納部および前記短手方向収納部の少なくとも一方は、回転軸周りに回転するドラムに紙幣を巻き取って収納する巻取式収納部を含む、
請求項１乃至５のいずれか一項に記載の紙幣処理装置。
【請求項７】
前記長手方向収納部および前記短手方向収納部のそれぞれは、少なくとも１つの前記巻取式収納部を含み、
前記ドラムの回転軸は、前記長手方向収納部の前記巻取式収納部と前記短手方向収納部の前記巻取式収納部とで異なる方向を向いている、
請求項６に記載の紙幣処理装置。
【請求項８】
前記変換部は、前記紙幣の搬送方向を９０度変更することにより、紙幣の搬送姿勢を変換する
請求項５に記載の紙幣処理装置。
【請求項９】
前記長手方向収納部および前記短手方向収納部のそれぞれは、少なくとも１つの前記巻取式収納部を含み、
前記ドラムの回転軸は、前記長手方向収納部の前記巻取式収納部と前記短手方向収納部の前記巻取式収納部とで同じ方向を向いている、
請求項６に記載の紙幣処理装置。
【請求項１０】
前記変換部は、前記紙幣の搬送方向を変えずに前記紙幣の印刷面に垂直な軸周りに９０度回転させることで、紙幣の搬送姿勢を変換する、
請求項５に記載の紙幣処理装置。
【請求項１１】
前記長手方向収納部および前記短手方向収納部の少なくとも一方は、紙幣を印刷面に垂直な方向に積み重ねて集積するスタック式収納部を含む、
請求項１乃至１０のいずれか一項に記載の紙幣処理装置。
【請求項１２】
前記搬送部は、前記紙幣を短手姿勢で搬送し、
前記長手方向収納部は、前記変換部を介して前記搬送部に接続される、
請求項５に記載の紙幣処理装置。
【発明の詳細な説明】
【技術分野】
【０００１】
本発明は、紙幣処理装置に関する。
【背景技術】
【０００２】
特許文献１には、紙幣を短手方向において取り込み、紙幣を巻き取って収納する巻取式の収納モジュールが開示されている。また、特許文献１には、紙幣を短手方向において取り込み、紙幣を積み重ねて収納するスタック式の収納モジュールが開示されている。
【先行技術文献】
【特許文献】
【０００３】
【特許文献１】特許第６０４２９５０号公報
【発明の概要】
【発明が解決しようとする課題】
【０００４】
ところで近年、例えば、ポリマー素材や金属線等の帯状部材を備えた紙幣が登場している。このような紙幣は、帯状部材の貼り付け位置によって、短手方向または長手方向のいずれかの方向において曲がりにくいという特徴がある。
【０００５】
そのため、短手方向で紙幣を取り込み、収納する巻取式の収納モジュールは、紙幣の曲がりにくい方向によっては、紙幣を適切に収納できない場合がある。
【０００６】
また、紙素材とローラとの摩擦係数は、帯状部材とローラとの摩擦係数と異なる場合があり、帯状部材がある部分と、帯状部材がない部分とでは、ローラによる繰出し速度が異なって、紙幣が斜行する場合がある。
【０００７】
そのため、短手方向で紙幣を取り込み、収納するスタック式の収納モジュールは、紙幣の帯状部材の位置によっては、紙幣を適切に繰出せない場合がある。
【０００８】
そこで本発明は、紙幣を適切に収納し、繰出しできる技術を提供することを目的とする。
【課題を解決するための手段】
【０００９】
本発明の紙幣処理装置は、紙幣を搬送する搬送部と、前記搬送部によって搬送される前記紙幣を紙幣の短辺が先頭となる方向で取り込んで収納する長手方向収納部と、前記搬送部によって搬送される前記紙幣を紙幣の長辺が先頭となる方向で取り込んで収納する短手方向収納部と、前記搬送部によって搬送される前記紙幣の収納先を、前記長手方向収納部および前記短手方向収納部のいずれかに切り替えるよう前記搬送部を制御する制御部と、を有する。
【発明の効果】
【００１０】
本発明によれば、紙幣を適切に収納し、繰出すことができる。
【図面の簡単な説明】
【００１１】
【図１】第１の実施の形態に係る紙幣処理装置の斜視図である。
【図２】図１の紙幣処理装置を＋ｙ軸方向から見た概略断面図である。
【図３】＋ｙ軸方向から見た搬送モジュールの概略断面図である。
【図４】＋ｘ軸方向から見た長手方向収納モジュールの概略断面図である。
【図５】長手方向収納部の紙幣の収納例を説明する図である。
【図６】短手方向収納部の紙幣の収納例を説明する図である。
【図７】紙幣処理装置で入金処理または出金処理される紙幣の例を示した図である。
【図８】図１の紙幣処理装置を＋ｙ軸方向から見た概略断面図である。
【図９】第２の実施の形態に係る紙幣処理装置を＋ｙ軸方向から見た概略断面図である。
【図１０】＋ｘ軸方向から見た長手方向収納モジュールの概略断面図である。
【図１１】長手方向収納部の紙幣の収納例を説明する図である。
【図１２】短手方向収納部の紙幣の収納例を説明する図である。
【図１３】第３の実施の形態に係る紙幣処理装置を＋ｙ軸方向から見た概略断面図である。
【図１４】長手方向収納部の紙幣の収納例を説明する図である。
【図１５】第４の実施の形態に係る紙幣処理装置を＋ｙ軸方向から見た概略断面図である。
【図１６】第５の実施の形態に係る巻取式収納部の概略斜視図である。
【図１７】巻取式収納部の概略斜視図である。
【図１８】巻取式収納部の概略斜視図である。
【発明を実施するための形態】
【００１２】
以下、本発明の実施の形態を、図面を参照して説明する。
【００１３】
［第１の実施の形態］
図１は、第１の実施の形態に係る紙幣処理装置１の斜視図である。図１に示す紙幣処理装置１は、例えば、銀行やスーパーマーケット等、大量に現金が取り扱われる分野において用いられる。例えば、紙幣処理装置１は、銀行窓口の出納業務や、スーパーマーケットの売上金業務等において、現金の入金や出金、計数、保管管理等に用いられる。以下では、紙幣処理装置１に対し、図１に示すｘ、ｙ、ｚ軸の直交座標系を設定する。また、長方形の紙幣が搬送路で搬送されたり、収納部に収納されたり、収納部から繰出されたりするときの搬送姿勢について、紙幣の短辺が先頭となる方向に搬送される場合を長手方向に搬送されるといい、紙幣の長辺が先頭となる方向に搬送される場合を短手方向に搬送されるという。また、長手方向に搬送される紙幣の搬送姿勢を長手姿勢といい、短手方向に搬送される紙幣の搬送姿勢を短手姿勢という。
【００１４】
図１に示すように、紙幣処理装置１は、上部ユニット２ａと、下部ユニット２ｂと、に分けられる。
【００１５】
上部ユニット２ａは、入金口３と、出金口４ａ，４ｂと、を有している。入金口３は、紙幣処理装置１に入金する紙幣を投入する投入口である。出金口４ａ，４ｂは、紙幣処理装置１から出金された紙幣を取出す取出口である。また、出金口４ａ，４ｂは、リジェクト紙幣や識別できなかった紙幣等を取出す取出口である。
【００１６】
下部ユニット２ｂは、開閉扉５ａと、電子錠５ｂと、を有している。開閉扉５ａは、下部ユニット２ｂ内にアクセスするための扉である。開閉扉５ａを開けると、下部ユニット２ｂ内に収容されている、紙幣を収納する収納部（図２の長手方向収納モジュール１６および短手方向収納部１７ａ〜１７ｈを参照）にアクセスできる。開閉扉５ａの前面には、電子錠５ｂが設けられており、予め設定された暗証番号を電子錠５ｂに入力することにより、開閉扉５ａを開けることができる。
【００１７】
図２は、図１の紙幣処理装置１を＋ｙ軸方向から見た概略断面図である。図２において、図１と同じものには同じ符号が付してある。図２では、図１の紙幣処理装置１の形状等を簡略化して図示している。
【００１８】
図２に示すように、紙幣処理装置１の上部ユニット２ａは、制御部１１と、搬送部１２と、識別部１３と、一時保留部１４と、を有している。下部ユニット２ｂは、搬送モジュール１５と、長手方向収納モジュール１６と、短手方向収納部１７ａ〜１７ｈと、を有している。
【００１９】
制御部１１は、紙幣処理装置１全体を制御する。例えば、制御部１１は、入金口３に入金された紙幣の入金処理を行う。具体的には、制御部１１は、搬送部１２を制御し、入金口３に入金された紙幣を識別部１３に搬送する。制御部１１は、識別部１３を制御し、紙幣の真贋、汚損状態、破損状態、搬送姿勢、または金種等を識別させる。汚損状態は、紙幣が使い古されて色褪せた状態（stain）やインク等で汚れた状態（soil）を含む。破損状態は、紙幣に穴が開いた状態や一部が欠けた状態や一部が裂けた状態を含む。搬送姿勢は、短手姿勢または長手姿勢を含み、また、紙幣の表裏天地の４つの姿勢を含んでもよい。制御部１１は、識別部１３の識別結果に基づいて、正常紙幣等を一時保留部１４に一時保留し、リジェクト紙幣や識別されなかった紙幣等を出金口４ａ，４ｂに搬送する。そして、制御部１１は、一時保留部１４に一時保留した紙幣を、長手方向収納モジュール１６および短手方向収納部１７ａ〜１７ｈのいずれかに搬送する。
【００２０】
また、制御部１１は、例えば、長手方向収納モジュール１６および短手方向収納部１７ａ〜１７ｈに収納されている紙幣の出金処理を行う。具体的には、制御部１１は、ユーザからの出金要求に応じた紙幣を、長手方向収納モジュール１６および短手方向収納部１７ａ〜１７ｈから繰出す。制御部１１は、搬送モジュール１５および搬送部１２を制御し、繰出した紙幣を出金口４ａ，４ｂに搬送する。制御部１１は、例えば、ＣＰＵ（Central Processing Unit）と、プログラムおよび所定のデータを記憶するメモリ等とを備えた装置によって、上記の機能を実現する。
【００２１】
搬送部１２は、ループ状の搬送路を有している。搬送部１２は、入金口３、出金口４ａ，４ｂ、一時保留部１４、および搬送モジュール１５と接続されている。搬送部１２は、短手方向で紙幣を搬送する。
【００２２】
識別部１３は、搬送部１２上に設けられている。識別部１３は、画像センサ、赤外線センサ、紫外線センサ、または磁気センサ等を備え、搬送部１２を搬送する紙幣の真贋、汚損状態、破損状態、搬送姿勢、または金種等を識別する。
【００２３】
一時保留部１４は、例えば、入金口３に投入された紙幣を一時的に保留する。また、一時保留部１４は、例えば、出金処理時に発生したリジェクト紙幣等を一時的に保留する。一時保留部１４は、例えば、紙幣を巻き取るドラムを有した巻取式の収納部である。
【００２４】
搬送モジュール１５は、以下で説明するが（例えば図３）、搬送部１２と、長手方向収納モジュール１６と、短手方向収納部１７ａ〜１７ｈとを結ぶ搬送路を有している。搬送モジュール１５は、短手方向で紙幣を搬送する。搬送モジュール１５は、下部ユニット２ｂに対し、着脱可能となっている。
【００２５】
長手方向収納モジュール１６は、紙幣を巻き取るドラムを有した巻取式の収納部である。長手方向収納モジュール１６は、以下で説明するが（例えば図４、図５）、長手方向収納部を有し、搬送モジュール１５から搬送される紙幣を、長手方向で取り込んで収納する。長手方向収納モジュール１６は、下部ユニット２ｂに対し、着脱可能となっている。
【００２６】
短手方向収納部１７ａ〜１７ｈは、紙幣を巻き取るドラムを有した巻取式の収納部である。短手方向収納部１７ａ〜１７ｈは、以下で説明するが（例えば図６）、搬送モジュール１５から搬送される紙幣を、短手方向で取り込んで収納する。短手方向収納部１７ａ〜１７ｈは、下部ユニット２ｂに対し、着脱可能となっている。
【００２７】
図３は、＋ｙ軸方向から見た搬送モジュール１５の概略断面図である。図３に示すように、搬送モジュール１５は、搬送部（搬送路）２１〜２３を有している。
【００２８】
搬送モジュール１５が下部ユニット２ｂに装着されると、搬送部２１は、搬送部１２と接続された搬送部と接続される。搬送部２２は、長手方向収納モジュール１６と接続された搬送部と接続される。搬送部２３は、短手方向収納部１７ａ〜１７ｂと接続された搬送部と接続される。
【００２９】
搬送モジュール１５は、紙幣の搬送経路を切替える複数の分岐部を有している。搬送モジュール１５は、制御部１１による分岐部の制御に応じて、紙幣の搬送先を切替える。
【００３０】
例えば、搬送モジュール１５は、搬送部１２から搬送された紙幣を搬送部２２に搬送して、長手方向収納モジュール１６に搬送したり、搬送部１２から搬送された紙幣を搬送部２３に搬送して、短手方向収納部１７ａ〜１７ｈに搬送したりする。また、搬送モジュール１５は、長手方向収納モジュール１６から搬送された紙幣を搬送部２１に搬送して、搬送部１２に搬送したり、短手方向収納部１７ａ〜１７ｈから搬送された紙幣を搬送部２１に搬送して、搬送部１２に搬送したりする。
【００３１】
搬送モジュール１５は、図２に示した短手方向収納部１７ａ〜１７ｈと入れ替えることができる。例えば、搬送モジュール１５は、図２に示した短手方向収納部１７ｂ，１７ｆの位置に装着されることができる。また、図２に示した短手方向収納部１７ｂ，１７ｆは、搬送モジュール１５の位置に装着されることができる。すなわち、紙幣処理装置１は、着脱式の搬送部モジュール１５によって、搬送路をフレキシブルに構成することができる。
【００３２】
図４は、＋ｘ軸方向から見た長手方向収納モジュール１６の概略断面図である。図４に示すように、長手方向収納モジュール１６は、変換部３１と、長手方向収納部３２，３３と、搬送部３４と、を有している。
【００３３】
変換部３１は、長手方向収納部３２，３３の搬送方向上流に配置され、搬送モジュール１５から紙幣が搬送される。紙幣は、図４の紙面裏側から表側に向かって（＋ｘ軸方向に向かって）、短手方向で変換部３１に搬送される。
【００３４】
変換部３１は、以下で説明するが（例えば図５）、搬送モジュール１５から搬送される紙幣の搬送姿勢を、長手方向収納部３２，３３の紙幣の取込み方向に合うように変換し、搬送部３４に繰り出す。搬送部３４に繰り出された紙幣は、制御部１１による分岐部の制御に応じて、長手方向収納部３２，３３のいずれか一方に搬送される。
【００３５】
長手方向収納部３２，３３は、搬送部３４によって搬送された紙幣を収納する。また、長手方向収納部３２，３３は、収納している紙幣を搬送部３４に繰出す。搬送部３４に繰出された紙幣は、変換部３１に搬送される。変換部３１は、搬送された紙幣の搬送姿勢を変え、搬送モジュール１５へ繰出す。
【００３６】
なお、図４では、長手方向収納モジュール１６は、２つの長手方向収納部３２，３３を有しているが、これに限られない。長手方向収納部は、１つであってもよいし、３以上であってもよい。
【００３７】
図５は、長手方向収納部３２の紙幣の収納例を説明する図である。図５には、図４に示した長手方向収納部３２が示してある。また、図５には、長手方向収納部３２に収納される紙幣Ｐ１が示してある。図５に示すように、長手方向収納部３２は、ドラム４１を有している。
【００３８】
上記したように、搬送部１２および搬送モジュール１５は、短手方向で紙幣を搬送する。従って、紙幣は、図４に示した変換部３１に対し、紙幣の長辺が先頭となって搬送される。
【００３９】
例えば、図５に示す矢印Ａ１は、搬送モジュール１５から変換部３１（図５には図示せず）に搬送される紙幣Ｐ１の搬送方向を示している。紙幣Ｐ１は、矢印Ａ１に示すように、紙幣の長辺が先頭となり、＋ｘ軸方向に向かって搬送される。すなわち、紙幣Ｐ１は、短手方向に搬送される。
【００４０】
紙幣Ｐ１は、図４に示した変換部３１によって、搬送方向が変換されることによって搬送姿勢が変換される。例えば、紙幣Ｐ１は、図５の矢印Ａ２に示すように、紙幣の短辺が先頭となるよう、−ｙ軸方向に向かって搬送される。すなわち、変換部３１は、紙幣Ｐ１の搬送方向を＋ｘ軸方向から−ｙ軸方向に９０度変更し、紙幣Ｐ１の搬送姿勢を短手姿勢から長手姿勢に変換する。
【００４１】
搬送方向が変換された紙幣Ｐ１は、図４に示した搬送部３４によって、長手方向収納部３２に搬送される。例えば、図５の矢印Ａ３に示すように、紙幣Ｐ１は、長手方向収納部３２に搬送される。
【００４２】
長手方向収納部３２は、−ｙ軸方向から見た側面に、紙幣Ｐ１を収納するための開口部を有している。長手方向収納部３２は、側面に設けられた開口部から、搬送部３４によって搬送される紙幣Ｐ１を、紙幣の短辺が先頭となる方向（長手方向）で取り込む。
【００４３】
例えば、長手方向収納部３２は、矢印Ａ４に示すように、紙幣Ｐ１を、長手方向で取り込む。そして、長手方向収納部３２は、長手方向で取り込んだ紙幣Ｐ１を、ドラム４１に巻き取り収納する。
【００４４】
ドラム４１の回転軸は、図５の一点鎖線に示すように、ｘ軸方向を向いている。ドラム４１は、紙幣Ｐ１を取り込む場合、図５の矢印Ａ５の方向に回転する。
【００４５】
長手方向収納部３２に収納された紙幣Ｐ１を繰り出す場合は、上記で説明した流れと逆の動作となる。例えば、ドラム４１は、図５の矢印Ａ５とは逆向きに回転する。長手方向収納部３２は、ドラム４１の逆向きの回転によって、長手方向で紙幣Ｐ１を搬送部３４に繰出す。
【００４６】
搬送部３４に繰出された紙幣Ｐ１は、紙幣の短辺が先頭となって、変換部３１に搬送される。変換部３１は、搬送部３４から搬送された紙幣Ｐ１を、紙幣の長辺が先頭となるように搬送方向を変換し、搬送モジュール１５へ繰出す。
【００４７】
なお、長手方向収納部３３も長手方向収納部３２と同様に、紙幣を収納する開口部から、搬送部３４によって搬送される紙幣を、紙幣の短辺が先頭となる方向で取り込み収納する。また、長手方向収納部３３は、紙幣の短辺が先頭となる方向で紙幣を繰出す。
【００４８】
図６は、短手方向収納部１７ａの紙幣の収納例を説明する図である。図６には、図２に示した短手方向収納部１７ａが示してある。また、図６には、短手方向収納部１７ａに収納される紙幣Ｐ１１が示してある。図６に示すように、短手方向収納部１７ａは、ドラム４２を有している。
【００４９】
上記したように、搬送部１２および搬送モジュール１５は、短手方向で紙幣を搬送する。従って、紙幣は、図６に示す短手方向収納部１７ａに対し、紙幣の長辺が先頭となって搬送される。
【００５０】
例えば、図６に示す矢印Ａ１１は、搬送モジュール１５から短手方向収納部１７ａに搬送される紙幣Ｐ１１の搬送方向を示している。紙幣Ｐ１１は、矢印Ａ１１に示すように、紙幣の長辺が先頭となり、−ｘ軸方向に向かって搬送されている。すなわち、紙幣Ｐ１１は、短手方向で搬送されている。
【００５１】
短手方向収納部１７ａは、底面に紙幣Ｐ１１を収納するための開口部を有している。短手方向収納部１７ａは、底面に設けられた開口部から、搬送モジュール１５から搬送される紙幣Ｐ１１を、紙幣の長辺が先頭となる方向（短手方向）で取り込む。
【００５２】
例えば、短手方向収納部１７ａは、矢印Ａ１２に示すように、紙幣Ｐ１１を、短手方向で取り込む。そして、短手方向収納部１７ａは、短手方向で取り込んだ紙幣Ｐ１１を、ドラム４２に巻き取り収納する。
【００５３】
ドラム４２の回転軸は、図６の一点鎖線に示すように、ｙ軸方向を向いている。すなわち、ドラム４２の回転軸は、長手方向収納部３２のドラム４１の回転軸に対し、異なる方向を向いている。具体的には、ドラム４２の回転軸と、長手方向収納部３２のドラム４１の回転軸は、９０度の角度をなしている。ドラム４２は、紙幣Ｐ１１を取り込む場合、図６の矢印Ａ１３の方向に回転する。
【００５４】
短手方向収納部１７ａに収納された紙幣Ｐ１１を繰り出す場合は、上記で説明した流れと逆の動作となる。例えば、ドラム４２は、図６の矢印Ａ１３とは逆向きに回転する。短手方向収納部１７ａは、ドラム４２の逆向きの回転によって、短手方向で紙幣Ｐ１１を繰出す。短手方向収納部１７ａから繰出された紙幣Ｐ１１は、搬送モジュール１５に搬送される。
【００５５】
なお、短手方向収納部１７ｂ〜１７ｈも短手方向収納部１７ａと同様に、短手方向で取り込み収納する。また、短手方向収納部１７ｂ〜１７ｈは、紙幣を短手方向で繰出す。
【００５６】
図７は、紙幣処理装置１で入金処理または出金処理される紙幣の例を示した図である。図７には、紙幣５１が示してある。紙幣５１は、図７に示すように、紙幣の短辺に平行な帯状の他部材５２を有している。他部材５２は、例えば、金属を材料としたスレッドまたはポリマーである。
【００５７】
紙幣５１は、他部材５２を有すると、曲げにくい方向を生じる場合がある。例えば、図７に示すように、他部材５２が紙幣の短辺に平行に設けられると、紙幣５１は、図７の矢印Ａ２１方向には曲げやすいが、矢印Ａ２２方向に曲げにくくなる場合がある。
【００５８】
このように、矢印Ａ２２方向に曲げにくい紙幣５１を、図６に示した短手方向収納部１７ａに収納すると、ドラム４２の巻取状態が悪くなる場合がある。例えば、紙幣５１は、ドラム４２の円周に沿って曲がらず、一部がドラム４２から浮いたりする場合がある。ドラム４２の紙幣の巻取状態が悪いと、紙幣の収納または繰出の際にジャムを生じたり、紙幣の収納容量が減少したりする。
【００５９】
そこで、制御部１１は、識別部１３によって識別される紙幣の種類に基づいて、紙幣の長手方向収納部３２，３３および短手方向収納部１７ａ〜１７ｈへの収納先を切替える。例えば、紙幣の短辺に平行な他部材５２を有する紙幣５１の場合、制御部１１は、長手方向収納部３２，３３のいずれかに収納する。紙幣５１が、長手方向収納部３２，３３のいずれかに収納される場合、紙幣５１は、図７の矢印Ａ２１方向に曲げられて収納されるので（図５を参照）、収納状態の悪化を抑制できる。
【００６０】
一方、例えば、紙幣５１が紙幣の長辺に平行な他部材を有している場合、紙幣５１は、図７の矢印Ａ２１方向に曲がりにくくなる。この場合、制御部１１は、紙幣５１を短手方向収納部１７ａ〜１７ｈのいずれかに収納する。紙幣５１が、短手方向収納部１７ａ〜１７ｈのいずれかに収納される場合、紙幣５１は、図７の矢印Ａ２２方向に曲げられて収納されるので（図６を参照）、収納状態の悪化を抑制できる。
【００６１】
以上説明したように、長手方向収納部３２，３３は、搬送部１２および搬送モジュール１５によって搬送される紙幣を、紙幣の短辺が先頭となる方向で取り込んで収納する。短手方向収納部１７ａ〜１７ｈは、搬送部１２および搬送モジュール１５によって搬送される紙幣を、紙幣の長辺が先頭となる方向で取り込んで収納する。制御部１１は、搬送部１２および搬送モジュール１５によって搬送される紙幣の収納先を、長手方向収納部３２，３３および短手方向収納部１７ａ〜１７ｈのいずれかに切り替えるよう搬送部１２および搬送モジュール１５を制御する。
【００６２】
これにより、紙幣処理装置１は、紙幣を適切に収納し、繰出すことができる。例えば、紙幣処理装置１は、図７に示した矢印Ａ２２方向に曲がりにくい紙幣については、長手方向収納部３２，３３に収納するよう搬送部１２および搬送モジュール１５を制御する。また、紙幣処理装置１は、図７に示した矢印Ａ２１方向に曲がりにくい紙幣については、短手方向収納部１７ａ〜１７ｈのいずれかに収納するよう搬送部１２および搬送モジュール１５を制御する。これにより、紙幣処理装置１は、紙幣を適切に収納し、繰出すことができる。
【００６３】
また、紙幣処理装置１は、他の紙幣処理装置とのカセットインターフェースが容易となる。例えば、紙幣を短手方向で処理する他の紙幣処理装置に対しては、短手方向収納部１７ａ〜１７ｈを取り外して、他の紙幣処理装置に装着できる。また、紙幣を長手方向で処理する他の紙幣処理装置に対しては、長手方向収納モジュール１６を取り外して、他の紙幣処理装置に装着できる。
【００６４】
なお、上記では、変換部３１は、長手方向収納モジュール１６内に設けられているが、長手方向収納モジュール１６の外に設けられてもよい。
【００６５】
また、制御部１１は、識別部１３の識別処理によって識別された紙幣の種類に基づいて、搬送される紙幣の収納先を切替える。紙幣の種類は、紙幣の金種、紙幣の大きさ、紙幣に設けられたスレッドの位置、紙幣の材質、紙幣の汚損状態、紙幣の破損状態、または紙幣の搬送姿勢、の少なくとも１つに基づいて分類されたものを含む。例えば、制御部１１は、紙幣の短辺に平行に設けられた帯状の他部材を有する紙幣については、長手方向収納部３２，３３に収納する。また、制御部１１は、紙幣の長辺に平行に設けられた帯状の他部材を有する紙幣については、短手方向収納部１７ａ〜１７ｈのいずれかに収納する。また、制御部１１は、紙幣の長辺の長さが所定の長さより大きい紙幣については、長手方向収納部３２，３３に収納する。また、制御部１１は、紙幣の短辺の長さが所定の長さより小さい紙幣については、長手方向収納部３２，３３に収納する。また、制御部１１は、例えば、図７の矢印Ａ２２方向に曲がりにくい材質によって形成された紙幣については、長手方向収納部３２，３３に収納する。また、制御部１１は、例えば、図７の矢印Ａ２１方向に曲がりにくい材質によって形成された紙幣については、短手方向収納部１７ａ〜１７ｈのいずれかに収納する。
【００６６】
紙幣の大きさ、紙幣に設けられたスレッドの位置、および紙幣の材質は、紙幣の金種に基づいて特定することができるので、紙幣の種類に基づいて、搬送される紙幣の収納先を切替えるようにしてもよい。また、制御部１１は、例えば、紙幣の短辺に平行な裂け目を有する破損紙幣については、長手方向収納部３２，３３に収納する。短手方向収納部１７ａ〜１７ｈは、後述のテープ（図１６参照）によって紙幣をドラムに巻き取るが、紙幣の短辺に平行な裂け目を有する破損紙幣を短手方向収納部１７ａ〜１７ｈに収納すると、裂け目をテープで押さえることができず、裂け目がより大きくなる可能性がある。一方、紙幣の短辺に平行な裂け目を有する破損紙幣を長手方向収納部３２，３３に収納すると、裂け目をテープで押さえることにより、裂け目がより大きくなることを防止できる。このように、裂け目の有無を含む紙幣の汚損または破損状態によっても、長手方向と短手方向のいずれかの方向で紙幣を処理した方が有利な場合がある。また、制御部１１は、例えば、紙幣が表を向いた姿勢で搬送されるか裏を向いた姿勢で搬送されるかによって、搬送される紙幣の収納先を切り替えてもよい。これは、紙幣の材質や印刷態様によっては、図７の矢印Ａ２１方向への曲がりにくさが、表方向と裏方向で異なったり、図７の矢印Ａ２２方向への曲がりにくさが、表方向と裏方向で異なったりする場合があるためである。
【００６７】
また、紙幣の種類は、紙幣の短辺を曲げるときの曲げ剛性（図７の矢印Ａ２２に示す方向の曲げ剛性）または紙幣の長辺を曲げるときの曲げの剛性（図７の矢印Ａ２１に示す方向の曲げ剛性）に基づいて分類されたものであってもよい。例えば、短辺を曲げるときの曲げ剛性が大きい紙幣については、制御部１１は、長手方向収納部３２，３３に収納する。紙幣の長辺を曲げるときの曲げ剛性が大きい紙幣については、制御部１１は、短手方向収納部１７ａ〜１７ｈのいずれかに収納する。なお、紙幣の厚みが厚いほど、一般的に曲げ剛性は大きくなる。また、スレッドを有する紙幣の方が、スレッドを有さない紙幣より曲げ剛性は大きくなる。また、紙よりポリマーの方が、曲げ剛性は大きくなる。
【００６８】
また、上記では、搬送部１２および搬送モジュール１５は、短手方向で紙幣を搬送したが、長手方向で紙幣を搬送してもよい。この場合、紙幣の搬送方向を変換する変換部は、短手方向収納部１７ａ〜１７ｈの上流に設けられ、紙幣の搬送方向を短手方向に変換する。これにより、短手方向収納部１７ａ〜１７ｈは、紙幣を、紙幣の長辺が先頭となる方向で取り込んで収納することができる。
【００６９】
また、紙幣処理装置１は、精査処理を行うこともできる。例えば、制御部１１は、搬送モジュール１５および搬送部１２を制御し、長手方向収納モジュール１６または短手方向収納部１７ａ〜１７ｈに収納されている紙幣を識別部１３に搬送し、一時保留部１４に保留する。そして、制御部１１は、一時保留部１４に保留した紙幣を長手方向収納モジュール１６または短手方向収納部１７ａ〜１７ｈに戻す。
【００７０】
また、紙幣処理装置１は、搬送モジュール１５を備えなくてもよい。すなわち、搬送部１２が、長手方向収納モジュール１６および短手方向収納部１７ａ〜１７ｈのそれぞれに伸び、接続されてもよい。
【００７１】
また、上記では、紙幣処理装置１は、１個の長手方向収納モジュールと、８個の短手方向収納部とを有していたが、これに限られない。長手方向収納モジュールおよび短手方向収納部の数は、使用状況に応じて適宜変更することができる。例えば、収納部ごとに金種が割り当てられる場合、その金種が短手巻取と長手巻取のいずれかに適しているかを判断し、適した種類の収納部を下部ユニット２ｂに装着する。また、紙幣処理装置１は、次に説明するように、全ての収納部を長手方向収納モジュールで構成してもよい。
【００７２】
図８は、図１の紙幣処理装置１を＋ｙ軸方向から見た概略断面図である。図８において、図２と同じものには同じ符号が付してある。
【００７３】
図８に示す搬送モジュール６１は、搬送モジュール１５と同様に紙幣の搬送経路を切替える複数の分岐部を有している。なお、搬送モジュール１５は、搬送部１２と長手方向収納モジュール１６とを接続し、また、搬送部１２と長手方向収納モジュール６２ａとを接続している。搬送モジュール６１は、搬送部１２と長手方向収納モジュール６２ｂとを接続し、また、搬送部１２と長手方向収納モジュール６２ｃとを接続している。
【００７４】
長手方向収納モジュール６２ａ〜６２ｃは、長手方向収納モジュール１６と同様の構成を有している。例えば、長手方向収納モジュール６２ａ〜６２ｃは、図４に示した変換部３１と、長手方向収納部３２，３３と、搬送部３４と、を有している。
【００７５】
このように、紙幣処理装置１は、全ての収納部を長手方向収納モジュール１６，６２ａ〜６２ｃで構成してもよい。もちろん、紙幣処理装置１は、全ての収納部を短手方向収納部で構成してもよい。
【００７６】
なお、全ての収納部を長手方向収納モジュール１６，６２ａ〜６２ｃで構成した場合、ドラムの回転軸は、全てｘ軸方向を向く。
【００７７】
［第２の実施の形態］
第１の実施の形態では、巻取式の収納部について説明した。第２の実施の形態では、スタック式の収納部について説明する。以下では、第１の実施の形態と異なる部分ついて説明する。
【００７８】
図９は、第２の実施の形態に係る紙幣処理装置１を＋ｙ軸方向から見た概略断面図である。図９において、図２と同じものには同じ符号が付してある。
【００７９】
図９に示すように、紙幣処理装置１は、スタック式の長手方向収納モジュール７１と、スタック式の短手方向収納部７２ａ〜７２ｄと、を有している。長手方向収納モジュール７１および短手方向収納部７２ａ〜７２ｄは、紙幣を印刷面に垂直な方向に積み重ねて収納する。
【００８０】
図１０は、＋ｘ軸方向から見た長手方向収納モジュール７１の概略断面図である。図１０に示すように、長手方向収納モジュール７１は、変換部８１と、長手方向収納部８２と、搬送部８３と、を有している。
【００８１】
変換部８１は、長手方向収納部８２の搬送方向上流に配置され、搬送モジュール１５から紙幣が搬送される。紙幣は、図１０の紙面裏側から表側に向かって（＋ｘ軸方向に向かって）、紙幣の長辺が先頭となって変換部８１に搬送される。
【００８２】
変換部８１は、以下で説明するが（例えば図１１）、搬送モジュール１５から搬送される紙幣の搬送姿勢を、長手方向収納部８２の紙幣の取込み方向に合うように変換し、搬送部８３に繰り出す。搬送部８３に繰り出された紙幣は、長手方向収納部８２に搬送される。
【００８３】
長手方向収納部８２は、搬送部８３によって搬送された紙幣を収納する。また、長手方向収納部８２は、収納している紙幣を搬送部８３に繰出す。搬送部８３に繰出された紙幣は、変換部８１に搬送される。変換部８１は、搬送された紙幣の搬送姿勢を変え、搬送モジュール１５へ繰出す。
【００８４】
図１１は、長手方向収納部８２の紙幣の収納例を説明する図である。図１１には、図１０に示した長手方向収納部８２が示してある。また、図１１には、長手方向収納部８２に収納される紙幣Ｐ２１が示してある。図１１に示すように、長手方向収納部８２は、紙幣を取り込む開口部９１を有している。
【００８５】
上記したように、搬送部１２および搬送モジュール１５は、短手方向で紙幣を搬送する。従って、紙幣は、図１０に示した変換部８１に対し、紙幣の長辺が先頭となって搬送される。
【００８６】
例えば、図１１に示す矢印Ａ３１は、搬送モジュール１５から変換部８１（図１１には図示せず）に搬送される紙幣Ｐ２１の搬送方向を示している。紙幣Ｐ２１は、矢印Ａ３１に示すように、紙幣の長辺が先頭となり、＋ｘ軸方向に向かって搬送される。すなわち、紙幣Ｐ２１は、短手方向で搬送される。
【００８７】
紙幣Ｐ２１は、図１０に示した変換部８１によって、搬送方向が変換されることによって搬送姿勢が変換される。例えば、紙幣Ｐ２１は、図１１の矢印Ａ３２に示すように、紙幣の短辺が先頭となるよう、−ｙ軸方向に向かって搬送される。すなわち、変換部８１は、紙幣Ｐ２１の搬送方向を＋ｘ軸方向から−ｙ軸方向に９０度変更し、紙幣Ｐ２１の搬送姿勢を変換する。
【００８８】
搬送方向が変換された紙幣Ｐ２１は、図１０に示した搬送部８３によって、長手方向収納部８２に搬送される。例えば、図１１の矢印Ａ３３に示すように、紙幣Ｐ２１は、長手方向収納部８２に搬送される。
【００８９】
長手方向収納部８２は、上面に設けられた開口部９１から、搬送部８３によって搬送される紙幣Ｐ２１を、紙幣の短辺が先頭となる方向で取り込む。例えば、長手方向収納部８２は、矢印Ａ３３に示すように、紙幣Ｐ２１を、紙幣の短辺が先頭となる方向で取り込む。そして、長手方向収納部８２は、紙幣の短辺が先頭となる方向で取り込んだ紙幣Ｐ２１を、印刷面に垂直な方向に積み重ねる（例えば、図１０の長手方向収納部８２内に積み重ねられている紙幣を参照）。
【００９０】
長手方向収納部８２に収納された紙幣Ｐ２１を繰り出す場合は、上記で説明した流れと逆の動作となる。例えば、長手方向収納部８２は、紙幣の短辺が先頭となる方向で紙幣Ｐ２１を搬送部８３に繰出す。
【００９１】
搬送部８３に繰出された紙幣Ｐ２１は、紙幣の短辺が先頭となって、変換部８１に搬送される。変換部８１は、搬送部８３から搬送された紙幣Ｐ２１を、紙幣の長辺が先頭となるように搬送方向を変換し、搬送モジュール１５へ繰出す。
【００９２】
図１２は、短手方向収納部７２ａの紙幣の収納例を説明する図である。図１２には、図９に示した短手方向収納部７２ａが示してある。また、図１２には、短手方向収納部７２ａに収納される紙幣Ｐ３１が示してある。
【００９３】
上記したように、搬送部１２および搬送モジュール１５は、短手方向で紙幣を搬送する。従って、紙幣は、図１２に示す短手方向収納部７２ａに対し、紙幣の長辺が先頭となって搬送される。
【００９４】
例えば、図１２に示す矢印Ａ４１は、搬送部１２から短手方向収納部７２ａに搬送される紙幣Ｐ３１の搬送方向を示している。紙幣Ｐ３１は、矢印Ａ４１に示すように、紙幣の長辺が先頭となり、−ｘ軸方向に向かって搬送されている。すなわち、紙幣Ｐ３１は、短手方向に搬送されている。
【００９５】
短手方向収納部７２ａは、上面に紙幣Ｐ３１を収納するための開口部９２を有している。短手方向収納部７２ａは、上面に設けられた開口部９２から、搬送部１２から搬送される紙幣Ｐ３１を、紙幣の長辺が先頭となる方向で取り込む。例えば、短手方向収納部７２ａは、矢印Ａ４１に示すように、紙幣Ｐ３１を、紙幣の長辺が先頭となる方向で取り込む。そして、短手方向収納部７２ａは、紙幣の長辺が先頭となる方向で取り込んだ紙幣Ｐ３１を、印刷面に垂直な方向に積み重ねる。
【００９６】
短手方向収納部７２ａに収納された紙幣Ｐ３１を繰り出す場合は、上記で説明した流れと逆の動作となる。例えば、短手方向収納部７２ａは、紙幣の長辺が先頭となる方向で紙幣Ｐ３１を繰出す。短手方向収納部７２ａから繰出された紙幣Ｐ３１は、搬送部１２に搬送される。
【００９７】
なお、短手方向収納部７２ｂ〜７２ｄも短手方向収納部７２ａと同様に、紙幣を紙幣の長辺が先頭となる方向で取り込み収納する。また、短手方向収納部７２ｂ〜７２ｄは、紙幣を紙幣の長辺が先頭となる方向で繰出す。
【００９８】
以上説明したように、紙幣処理装置１は、スタック式の長手方向収納部８２と、スタック式の短手方向収納部７２ａ〜７２ｄとを有する。制御部１１は、搬送部１２および搬送モジュール１５によって搬送される紙幣の収納先を、長手方向収納部８２および短手方向収納部７２ａ〜７２ｄのいずれかに切り替えるよう搬送部１２および搬送モジュール１５を制御する。これにより、紙幣処理装置１は、紙幣を適切に収納し、繰出すことができる。
【００９９】
なお、変換部８１は、長手方向収納モジュール７１内に設けられているが、長手方向収納モジュール７１の外に設けられてもよい。
【０１００】
また、制御部１１は、スタック式の収納部に関しても、識別部１３の識別処理によって識別された紙幣の種類に基づいて、搬送される紙幣の収納先を切替える。紙幣の種類は、紙幣の金種、紙幣の大きさ、紙幣に設けられたスレッドの位置、紙幣の材質、紙幣の汚損状態、紙幣の破損状態、または紙幣の搬送姿勢、の少なくとも１つに基づいて分類されたものを含む。例えば、制御部１１は、紙幣の短辺に平行に設けられた帯状の他部材を有し、帯状の他部材の厚みだけが大きい紙幣については、短手方向収納部７２ａ〜７２ｄのいずれかに収納する。このような紙幣を長手方向収納部８２に収納した場合は、収納しようとする紙幣の先端が、先に収納されていた紙幣の帯状の他部材に引っ掛かることにより、収納不良が発生する可能性があるためである。また、例えば、制御部１１は、紙幣の短辺に平行に設けられた帯状の他部材を有し、帯状の他部材の摩擦係数が他の部分と異なる紙幣については、長手方向収納部８２に収納する。スタック式の収納部は、複数のローラで同時に紙幣を搬送することで、紙幣を収納し繰り出すようになっている。このような紙幣を短手方向収納部７２ａ〜７２ｄに収納した場合は、複数のローラのうちの一部のローラのみが帯状の他部材に当接することにより、収納時や繰出時の搬送不良が発生する可能性があるためである。
【０１０１】
また、上記では、紙幣処理装置１は、スタック式の長手方向収納モジュールと、スタック式の短手方向収納部とを有していたが、これに限られない。例えば、紙幣処理装置１は、スタック式の長手方向収納モジュールと、スタック式の短手方向収納部と、巻取式の長手方向収納モジュールと、巻取式の短手方向収納部と、の全てを有していてもよいし、または一部を組み合わせて有していてもよい。
【０１０２】
［第３の実施の形態］
第１の実施の形態および第２の実施の形態では、紙幣の搬送方向を変えることにより紙幣の搬送姿勢を変更した。例えば、図５に示したように、＋ｘ軸方向に搬送される紙幣を、−ｙ軸方向に搬送するよう搬送方向を変えた。第３の実施の形態では、紙幣の搬送方向を変えず、紙幣を回転させ、紙幣の搬送姿勢を変更する。
【０１０３】
図１３は、第３の実施の形態に係る紙幣処理装置１を＋ｙ軸方向から見た概略断面図である。図１３において、図２と同じものには同じ符号が付してある。図１３に示すように、紙幣処理装置１は、搬送モジュール１０１と、巻取式の長手方向収納部１１１ａ，１１１ｂと、を有している。
【０１０４】
図１３に示す搬送モジュール１０１は、搬送モジュール１５と同様に紙幣の搬送経路を切替える複数の分岐部を有している。搬送モジュール１０１は、搬送部１２と長手方向収納部１１１ａ，１１１ｂとを接続し、また搬送部１２と短手方向収納部１７ａ〜１７ｈとを接続している。
【０１０５】
搬送モジュール１０１は、変換部１０１ａを有している。変換部１０１ａは、以下で説明するが（例えば図１４）、紙幣の搬送方向を変えずに、紙幣を回転させ、紙幣の搬送姿勢を変更する。
【０１０６】
長手方向収納部１１１ａ，１１１ｂは、紙幣を巻き取るドラムを有している。ドラムの回転軸は、短手方向収納部１７ａ〜１７ｈのドラムの回転軸と同じｙ軸方向を向いている。
【０１０７】
図１４は、長手方向収納部１１１ａの紙幣の収納例を説明する図である。図１４には、図１３に示した長手方向収納部１１１ａが示してある。また、図１４には、長手方向収納部１１１ａに収納される紙幣Ｐ４１が示してある。図１４に示すように、長手方向収納部１１１ａは、ドラム１２１を有している。
【０１０８】
搬送部１２および搬送モジュール１０１は、短手方向で紙幣を搬送する。従って、紙幣は、変換部１０１ａに対し、紙幣の長辺が先頭となって搬送される。
【０１０９】
例えば、図１４に示す矢印Ａ５１は、搬送部１２から変換部１０１ａ（図１４には図示せず）に搬送される紙幣Ｐ４１の搬送方向を示している。紙幣Ｐ４１は、矢印Ａ５１に示すように、紙幣の長辺が先頭となり、＋ｘ軸方向に向かって搬送される。すなわち、紙幣Ｐ４１は、短手方向で搬送される。
【０１１０】
紙幣Ｐ４１は、図１３に示した変換部１０１ａによって、搬送方向はそのままで、搬送姿勢が変換される。例えば、紙幣Ｐ４１は、図１４の矢印Ａ５２に示すように、紙幣の短辺が先頭となるように回転される。すなわち、変換部１０１ａは、紙幣Ｐ４１を印刷面に垂直な軸回りに９０度回転させ、搬送姿勢を変換する。
【０１１１】
搬送姿勢が変換された紙幣Ｐ４１は、搬送方向は＋ｘ軸方向のままで、長手方向収納部１１１ａに搬送される。例えば、図１４の矢印Ａ５３に示すように、紙幣Ｐ４１は、紙幣の短辺が先頭となって、長手方向収納部１１１ａに搬送される。
【０１１２】
長手方向収納部１１１ａは、底面に紙幣Ｐ４１を収納するための開口部を有している。長手方向収納部１１１ａは、底面に設けられた開口部から、搬送部によって搬送される紙幣Ｐ４１を、紙幣の短辺が先頭となる方向で取り込む。そして、長手方向収納部１１１ａは、紙幣の短辺が先頭となる方向で取り込んだ紙幣Ｐ４１を、ドラム１２１に巻き取り収納する。
【０１１３】
ドラム１２１の回転軸は、図１４の一点鎖線に示すように、ｙ軸方向を向いている。ドラム１２１は、紙幣Ｐ４１を取り込む場合、図１４の矢印Ａ５４の向きに回転する。
【０１１４】
長手方向収納部１１１ａに収納された紙幣Ｐ４１を繰り出す場合は、上記で説明した流れと逆の動作となる。例えば、ドラム１２１は、図１４の矢印Ａ５４とは逆向きに回転する。長手方向収納部１１１ａは、ドラム１２１の逆向きの回転によって、紙幣の短辺が先頭となる方向で紙幣Ｐ４１を搬送モジュール１０１の変換部１０１ａに繰出す。
【０１１５】
変換部１０１ａは、長手方向収納部１１１ａから搬送された紙幣Ｐ４１を、紙幣の長辺が先頭となるように姿勢変換（回転）する。
【０１１６】
なお、長手方向収納部１１１ｂも長手方向収納部１１１ａと同様に、紙幣を短手方向で取り込む。また、長手方向収納部１１１ｂは、短手方向で紙幣を繰出す。
【０１１７】
以上説明したように、紙幣処理装置１の変換部１０１ａは、紙幣の搬送方向を変えずに、紙幣を印刷面に垂直な軸周りに９０度回転させることで、紙幣の搬送姿勢を変換する。これにより、紙幣処理装置１は、それぞれの紙幣に適した収納部に紙幣を収納することができる。
【０１１８】
なお、上記では、搬送モジュール１０１が変換部１０１ａを有するとしたが、これに限られない。例えば、変換部１０１ａは、搬送モジュール１０１と、長手方向収納部１１１ａ，１１１ｂとの間の搬送部に設けられてもよい。
【０１１９】
また、上記の方法は、スタック式の収納部にも適用することができる。例えば、図１３の搬送モジュール１０１の搬送方向下流に、搬送部によって搬送される紙幣を短手方向で取り込んで収納するスタック式の収納部を設けてもよい。
【０１２０】
［第４の実施の形態］
第４の実施の形態では、収納部の一部を金庫等のセキュリティ空間に収容する。
図１５は、第４の実施の形態に係る紙幣処理装置１を＋ｙ軸方向から見た概略断面図である。図１５において、図１および図２と同じものには同じ符号が付してある。図１５に示すように、紙幣処理装置１は、金庫１３１と、電子錠１３２と、長手方向収納モジュール１３３と、を有している。
【０１２１】
金庫１３１は、下部ユニット２ｂに設けられている。金庫１３１は、搬送モジュール１５と、短手方向収納部１７ａ〜１７ｈと、を収容している。金庫１３１には、前面に設けられた開閉扉を開けるための電子錠１３２が設けられている。
【０１２２】
下部ユニット２ｂの一方の面（例えば、前面）には、開閉扉５ａが設けられている。下部ユニット２ｂの開閉扉５ａの裏面には、長手方向収納モジュール１３３が設けられている。長手方向収納モジュール１３３は、巻取式収納部であり、図４で説明した長手方向収納モジュール１６と同様の構成を有している。長手方向収納モジュール１３３は、開閉扉５ａの裏面において、着脱可能となっている。長手方向収納モジュール１３３は、紙幣の補充または回収に利用される。長手方向収納モジュール１３３は、上部ユニット２ａから延びる搬送路に接続される。この搬送路は、上部ユニット２ａの搬送部１２から分岐した搬送路とすることができる。制御部１１は、識別部１３の識別処理によって識別された紙幣の種類に基づいて、搬送される紙幣の収納先を、長手方向収納モジュール１３３と金庫１３１内の短手方向収納部１７ａ〜１７ｈのいずれかに切替える。収納先を切り替える制御は、第１乃至第４の実施の形態と同じである。
【０１２３】
金庫１３１内の短手方向収納部１７ａ〜１７ｈにアクセスする権限と、金庫１３１と開閉扉５ａとの間の空間（通常空間と呼ぶ）に設けられた長手方向収納モジュール１３３にアクセスする権限は異なる。長手方向収納モジュール１３３は、金庫１３１外の通常空間にあるため、金庫１３１内にアクセスすることなく、容易に紙幣の補充または回収ができる。
【０１２４】
以上説明したように、長手方向収納モジュール１３３は、セキュリティ空間外の通常空間に設けられる。これによって、紙幣の補充または回収を容易に行うことができる。
【０１２５】
なお、上記では、長手方向収納モジュール１３３は、巻取式としたが、スタック式でもよい。また、開閉扉５ａには、短手方向収納部が設けられてもよい。また、開閉扉５ａには、短手方向収納部と長手方向収納のいずれかが選択的に設けられてもよい。また、金庫１３１内には、長手方向収納モジュールが収容されてもよい。また、下部ユニット２ｂの開閉扉５ａは必ずしも必要ではなく、管理上の制約により、長手方向収納モジュール１３３を外部に露出した状態としてもよい。この場合は、長手方向収納モジュール１３３は、上部ユニット２ａの底面や、別途設けた取付部に取り付けられる。また、長手方向収納モジュール１３３を紙幣処理装置１の後面（図１５の右側）に設けてもよい。
【０１２６】
［第５の実施の形態］
第５の実施の形態では、巻取式収納部のテープ構造について説明する。
【０１２７】
図１６は、第５の実施の形態に係る巻取式収納部の概略斜視図である。図１６には、巻取式収納部のドラム１４１と、テープ１４２ａ，１４２ｂと、が示してある。また、図１６には、紙幣Ｐ６１が示してある。以下では、巻取式収納部に対し、図１６に示すｘ、ｙ、ｚ軸の直交座標系を設定する。
【０１２８】
テープ１４２ａ，１４２ｂは、ドラム１４１の回転によって巻き取られる。例えば、ドラム１４１が、図１６の矢印Ａ６１の方向に回転すると、テープ１４２ａ，１４２ｂは、ドラム１４１に巻き取られる。
【０１２９】
紙幣Ｐ６１は、ドラム１４１の外周面と、テープ１４２ａ，１４２ｂのドラムと対向する側の面Ｓ１ａ，Ｓ１ｂとの間に配置される。これにより、ドラム１４１が、矢印Ａ６１に示す方向に回転すると、紙幣Ｐ６１は、ドラム１４１に巻き取られる。
【０１３０】
ドラム１４１に巻き取られた紙幣Ｐ６１を繰出す場合、ドラム１４１を、矢印Ａ６１に示す方向とは逆向きに回転させる。すると、ドラム１４１に巻き取られたテープ１４２ａ，１４２ｂは、ドラム１４１から繰り出され、テープ１４２ａ，１４２ｂとドラム１４１との間に巻き取られた紙幣Ｐ６１も繰出される。
【０１３１】
図１７は、巻取式収納部の概略斜視図である。図１７において、図１６と同じものには同じ符号が付してある。図１７には、図１６に示した紙幣Ｐ６１より、長手方向が長い紙幣Ｐ７１が示してある。
【０１３２】
紙幣Ｐ７１に示すように、長手方向の長さが長いと、その両端Ｅ１ａ，Ｅ１ｂは、テープ１４２ａ，１４２ｂから離れる。この場合、紙幣Ｐ７１の両端Ｅ１ａ，Ｅ１ｂは、テープ１４２ａ，１４２ｂからの束縛が小さくなり、めくれる可能性がある。この場合、巻取収納部の収納率は低下し、また、ジャムが発生する可能性がある。
【０１３３】
図１８は、巻取式収納部の概略斜視図である。図１８において、図１６と同じものには同じ符号が付してある。図１８には、図１６に示した紙幣Ｐ６１より、長手方向が短い紙幣Ｐ８１が示してある。
【０１３４】
紙幣Ｐ８１に示すように、長手方向の長さが短いと、例えば、搬送の際の位置ずれ等によって、その両端の一方が、テープ１４２ａ，１４２ｂに係らない場合がある。この場合、紙幣Ｐ８１は、ドラム１４１に巻き取られず、ジャムが発生する。
【０１３５】
そこで、巻取収納部に収納する紙幣の大きさに基づいて、テープ１４２ａ，１４２ｂの幅や間隔を変える。
【０１３６】
例えば、図１６に示すテープ幅ｄ１，ｄ２を、巻取収納部に収納する紙幣の大きさに基づいて変更する。また、テープ間隔ｄ３を、巻取収納部に収納する紙幣の大きさに基づいて変更する。
【０１３７】
具体的には、収納する紙幣が小さい場合、テープ幅ｄ１，ｄ２を大きくしたり、テープ間隔ｄ３を狭くしたりする。また、紙幣が大きい場合、テープ幅ｄ１，ｄ２を大きくしたり、テープ間隔ｄ３を広くしたりする。また、紙幣が大きい場合、テープの本数を増やしてもよい。
【０１３８】
以上説明したように、紙幣処理装置は、複数の種類の巻取式収納部を有する。複数の巻取式収納部の一部または全てのテープ構造は、収納する紙幣の大きさに基づいて異なる。これにより、紙幣処理装置は、紙幣を安定して収納することができる。
【０１３９】
なお、テープの構造は、紙幣の材質に基づいて変えてもよい、例えば、ポリマー紙幣等、材質によって曲がりにくい紙幣を収納する場合には、張力の大きい材質のテープ１４２ａ，１４２ｂを用いる。また、材質によって曲がりにくい紙幣を収納する場合には、テープ本数を増やしたり、テープ幅ｄ１，ｄ２を大きくしたりする。
【０１４０】
また、テープ構造には、複数のテープの幅、本数、間隔、および材質がある。複数の種類の巻取式収納部のそれぞれは、複数のテープの幅だけ異なっていてもよいし、本数だけが異なっていてもよし、間隔だけが異なっていてもよいし、材質だけが異なっていてもよい。また、複数の巻取式収納部のそれぞれは、複数のテープの幅、本数、間隔、および材質の組み合わせにおいて異なっていてもよい。
【０１４１】
また、上記のテープ構造が異なる巻取式収納部は、上記で説明した巻取式の長手方向収納部および巻取式の短手方向収納部に適用することができる。
【０１４２】
また、複数の巻取式収納部は、ドラムやテープを駆動するための駆動機構や制御が異なるものとしてもよい。例えば、ポリマー紙幣等、材質によって曲がりにくい紙幣を収納する場合には、テープの張力が大きくなるような駆動機構を設けたり、駆動制御を変更したりしてもよい。
【０１４３】
（付記）
ドラムとテープとを備えた複数の巻取式収納部を有する紙幣処理装置であって、
前記複数の巻取式収納部の一部または全ては、収納する紙幣の大きさまたは材質を含む紙幣の種類に基づいて、前記テープの幅、本数、間隔、および材質の少なくとも１つ、または前記ドラムや前記テープを駆動するための制御が異なっている、
紙幣処理装置。
【符号の説明】
【０１４４】
１  紙幣処理装置
２ａ  上部ユニット
２ｂ  下部ユニット
３  入金口
４ａ，４ｂ  出金口
１１  制御部
１２  搬送部
１３  識別部
１４  一時保留部
１５  搬送モジュール
１６  長手方向収納モジュール
１７ａ〜１７ｈ  短手方向収納部
３１  変換部
３２，３３  長手方向収納部
３４  搬送部
【図１】
2018152031.tif 000003
【図２】
2018152031.tif 000004
【図３】
2018152031.tif 000005
【図４】
2018152031.tif 000006
【図５】
2018152031.tif 000007
【図６】
2018152031.tif 000008
【図７】
2018152031.tif 000009
【図８】
2018152031.tif 000010
【図９】
2018152031.tif 000011
【図１０】
2018152031.tif 000012
【図１１】
2018152031.tif 000013
【図１２】
2018152031.tif 000014
【図１３】
2018152031.tif 000015
【図１４】
2018152031.tif 000016
【図１５】
2018152031.tif 000017
【図１６】
2018152031.tif 000018
【図１７】
2018152031.tif 000019
【図１８】
2018152031.tif 000020